(57)【要約】【課題】  ＩＰ電話番号及びＰＳＴＮ電話番号を使い分ける必要がなく、利便性を向上させたＩＰ電話装置を提供する。また、１つのＰＳＴＮ電話番号に対して２以上のＩＰ電話番号が割り当てられている通話相手に対し、発信するＩＰ電話番号を指定可能なＩＰ電話装置を提供する。【解決手段】  ＰＳＴＮ電話番号に対応づけてＩＰ電話番号を記憶する電話番号記憶部１６と、電話機２から入力されたＰＳＴＮ電話番号に基づいて、電話番号記憶部１６からＩＰ電話番号を読み出す電話番号変換処理部２４と、読み出されたＩＰ電話番号に基づいて発信処理を行うダイヤル発信部１９により構成される。【選択図】  図２
2005094646.tif 000002
【特許請求の範囲】
【請求項１】
ＰＳＴＮ電話番号に対応づけてＩＰ電話番号を記憶する電話番号記憶手段と、
電話番号を入力する電話番号入力手段と、
入力されたＰＳＴＮ電話番号に基づいて、上記電話番号記憶手段からＩＰ電話番号を読み出す電話番号変換手段と、
読み出されたＩＰ電話番号に基づいて発信処理を行う発信処理手段とを備えたことを特徴とするＩＰ電話装置。
【請求項２】
ＩＰ網における回線異常を検出する回線異常検出手段を備え、
上記発信処理手段は、ＩＰ電話番号に基づく発信処理時にＩＰ網において回線異常が検出された場合、ＰＳＴＮ電話番号に基づいて発信処理を行うことを特徴とする請求項１に記載のＩＰ電話装置。
【請求項３】
上記電話番号記憶手段は、１つのＰＳＴＮ電話番号について２以上のＩＰ電話番号が記憶可能であり、１つのＰＳＴＮ電話番号に対応する２以上のＩＰ電話番号を識別するための識別符号をＩＰ電話番号ごとに記憶し、
上記電話番号変換手段は、ＰＳＴＮ電話番号とともに入力される上記識別符号に基づいて、ＩＰ電話番号を読み出すことを特徴とする請求項１に記載のＩＰ電話装置。
【請求項４】
ユーザの操作入力に基づいて発呼回線としてＰＳＴＮ回線又はＩＰ回線を指定する回線指示手段を備え、
上記電話番号変換手段は、ＰＳＴＮ回線が指定された場合にＩＰ電話番号が入力されると、このＩＰ電話番号に基づいて上記電話番号記憶手段からＰＳＴＮ電話番号を読み出し、
上記発信処理手段は、読み出されたＰＳＴＮ電話番号に基づいて発信処理を行うことを特徴とする請求項１に記載のＩＰ電話装置。
【請求項５】
ＰＳＴＮ電話番号に対応づけてＩＰ電話番号を記憶する電話番号記憶手段と、
電話機から入力されたＰＳＴＮ電話番号に基づいて、上記電話番号記憶手段からＩＰ電話番号を読み出す電話番号変換手段と、
読み出されたＩＰ電話番号に基づいて発信処理を行う発信処理手段とを備えたことを特徴とするＶｏＩＰ対応ルータ。
【発明の詳細な説明】
【技術分野】
【０００１】
本発明は、ＩＰ電話装置及びＶｏＩＰ対応ルータに係り、さらに詳しくは、ＩＰ電話番号に基づいて発呼可能なＩＰ電話装置の改良に関する。
【背景技術】
【０００２】
近年、ＩＰ（Internet Protocol）網を利用して音声通信を行うＩＰ電話の進展が著しい。ＩＰ網とは、インターネット、または、通信事業者がＩＰ電話用に設けた専用回線網であり、この様なＩＰ網を介して音声通話を実現するための技術はＩＰ電話又はＶｏＩＰ（Voice over IP）と呼ばれている。ＶｏＩＰでは、パケット化された音声データがユーザ間で伝送される。例えば、契約したプロバイダーが管理するＩＳＰ（Internet Service Provider）サーバーを介して、各ユーザがＩＰ網と接続されている場合、音声をデジタル符号化したＩＰパケットを順次に伝送することにより、通話をリアルタイムに行うことが可能となる。
【０００３】
図１３は、従来のＩＰ電話システムの構成を示した図である。各ユーザＡ，Ｂ１及びＢ２は、それぞれ契約プロバイダーが管理するＩＳＰサーバー４を介してＩＰ網５と接続され、ＩＰ網５を介して音声通話を行うことができる。例えば、ユーザＡがユーザＢ１と通話する場合、ＩＰ網５を介してＩＰパケットがユーザＡ及びＢ１間で伝送される。ＩＰパケットの送信元及び送信先はＩＰアドレスによって指定する必要があることから、ＩＰ電話をかける場合には、通話相手のＩＰアドレスを指定する必要があった。
【０００４】
ところが、ユーザがＩＰ電話をかける際、通話相手を０５０で始まる電話番号、いわゆるＩＰ電話番号で指定することができるサービスが開始されようとしている。このサービスは、各ユーザ（端末）にＩＰ電話番号を割り当てて、ユーザ間の接続制御を行うものであり、各ユーザは、ＩＰ電話番号を用いることにより、ＩＰアドレスを意識することなくＩＰ電話をかけることができる。
【０００５】
このとき、ユーザにより入力されたＩＰ電話番号を対応するＩＰアドレスに変換するのが、ＩＰ網５に接続されたＶｏＩＰネームサーバー６である。ＶｏＩＰネームサーバー６は、ＩＰアドレスをＩＰ電話番号に対応づけて記憶しており、発信元のユーザ（端末）からＩＰ電話番号で通話相手を指定した発信要求があった場合、このＩＰ電話番号に対応するＩＰアドレスを読み出し、指定された通話相手との接続制御を行う。その結果、通話相手から応答メッセージを受け取れば、発信元の端末に対してＩＰアドレスを返信する。発信元の端末は、ＶｏＩＰネームサーバー６から受信したＩＰアドレスに基づいて、通話相手の端末を宛先とするＩＰパケットを生成し通信を開始する。
【０００６】
現時点では、ＩＰ電話を利用するユーザに比べて、公衆回線網（Public Switched Telephone Network：ＰＳＴＮ）を介しての音声通信、すなわち、交換機を介して発信側と通話相手側とが１つの回線で接続される通常の電話を利用するユーザが多い。しかし、ＩＰ電話は、一般に従量制の通話料がかからないなどの利点があり、今後利用するユーザは増加すると考えられる。このため、ＩＰ網５を介してのＩＰ電話番号による通信と、ＰＳＴＮを介しての通常の電話番号（ＰＳＴＮ電話番号）による通信とのいずれも行うことができる電話装置を利用するユーザも今後増加すると考えられる。
【０００７】
しかしながら、この様な電話装置を利用するユーザに対しては、ＩＰ電話番号及びＰＳＴＮ電話番号の２つの異なる番号を使い分けなければならないという問題があった。特に、馴染みのないＩＰ電話番号を使うのはユーザにとって大きな負担であり、これまで使い慣れているＰＳＴＮ電話番号でＩＰ電話が利用できる方が便利であると考えられる。
【０００８】
従来のＩＰ電話装置としては、例えば、特許文献１に記載のものがある。この特許文献１に記載のＩＰ電話装置は、ＰＳＴＮ電話番号からドメイン名を生成し、このドメイン名に基づいてＩＰ網を介しての通信を行っている。つまり、ＩＰ電話装置が、ＤＮＳ（Domain Name System）サーバーに対しドメイン名を送信し、ＤＮＳサーバーがドメイン名をＩＰアドレスに変換してＩＰ電話装置に返信している。このため、上述したＶｏＩＰネームサーバー６を有するシステムにおいて、ＰＳＴＮ電話番号で通話相手を指定してＩＰ電話を利用可能にするものではない。
【特許文献１】特開２００３−４６６６６号公報
【特許文献２】特開２００３−１５２８９０号公報
【発明の開示】
【発明が解決しようとする課題】
【０００９】
上述した通り、従来のＩＰ電話装置では、ＩＰ網を介して行われるＩＰ電話番号による通信と、ＰＳＴＮを介して行われるＰＳＴＮ電話番号による通信とのいずれも行うことができる電話装置を利用するユーザに対して、ＩＰ電話番号及びＰＳＴＮ電話番号の２つの異なる番号を使い分けなければならないという問題があった。
【００１０】
本発明は、上記事情に鑑みてなされたものであり、利便性を向上させたＩＰ電話装置及びＶｏＩＰ対応ルータを提供することを目的としている。特に、ＩＰ電話番号及びＰＳＴＮ電話番号を使い分ける必要のないＩＰ電話装置を提供することを目的としている。また、１つのＰＳＴＮ電話番号に対して２以上のＩＰ電話番号が割り当てられているユーザに対し、発信するＩＰ電話番号を指定可能なＩＰ電話装置を提供することを目的としている。
【課題を解決するための手段】
【００１１】
本発明によるＩＰ電話装置は、ＰＳＴＮ電話番号に対応づけてＩＰ電話番号を記憶する電話番号記憶手段と、電話番号を入力する電話番号入力手段と、入力されたＰＳＴＮ電話番号に基づいて、上記電話番号記憶手段からＩＰ電話番号を読み出す電話番号変換手段と、読み出されたＩＰ電話番号に基づいて発信処理を行う発信処理手段により構成される。
【００１２】
この様な構成によれば、ユーザにより入力されたＰＳＴＮ電話番号に基づいて電話番号記憶手段から読み出されるＩＰ電話番号により発信処理が行われるので、ＰＳＴＮ電話番号に対応するＩＰ電話番号が予め記憶されているユーザに対して、ＰＳＴＮ電話番号を入力するだけでＩＰ電話をかけることができる。
【００１３】
また、本発明によるＩＰ電話装置は、上記構成に加え、ＩＰ網における回線異常を検出する回線異常検出手段を備え、上記発信処理手段が、ＩＰ電話番号に基づく発信処理時にＩＰ網において回線異常が検出された場合、ＰＳＴＮ電話番号に基づいて発信処理を行うように構成される。
【００１４】
この様な構成によれば、ＰＳＴＮ電話番号による発信処理に対してＩＰ電話番号による発信処理が優先的に行われるとともに、セッションを確立するためのＩＰパケットが伝送されないなどのＩＰ網における回線異常が検出された場合には、ＰＳＴＮ電話番号による発信処理に自動的に切替えて発信することができる。
【００１５】
また、本発明によるＩＰ電話装置は、上記構成に加え、上記電話番号記憶手段が、１つのＰＳＴＮ電話番号について２以上のＩＰ電話番号が記憶可能であり、１つのＰＳＴＮ電話番号に対応する２以上のＩＰ電話番号を識別するための識別符号をＩＰ電話番号ごとに記憶し、上記電話番号変換手段が、ＰＳＴＮ電話番号とともに入力される上記識別符号に基づいて、ＩＰ電話番号を読み出すように構成される。
【００１６】
この様な構成によれば、ＰＳＴＮ電話番号とともに識別符号を入力することにより、この識別符号に基づいてＩＰ電話番号が読み出されるので、１つのＰＳＴＮ電話番号に対して２以上のＩＰ電話番号が割り当てられているユーザに対し、ＩＰ電話番号をいずれかに指定して発信することができる。
【００１７】
また、本発明によるＩＰ電話装置は、上記構成に加え、ユーザの操作入力に基づいて発呼回線としてＰＳＴＮ回線又はＩＰ回線を指定する回線指示手段を備え、上記電話番号変換手段は、ＰＳＴＮ回線が指定された場合にＩＰ電話番号が入力されると、このＩＰ電話番号に基づいて上記電話番号記憶手段からＰＳＴＮ電話番号を読み出し、上記発信処理手段が、読み出されたＰＳＴＮ電話番号に基づいて発信処理を行うように構成される。
【００１８】
この様な構成によれば、発呼回線をユーザが選択することができるので、ＰＳＴＮ回線を選択指示すれば、ＩＰ電話番号を入力しても、このＩＰ電話番号に対応するＰＳＴＮ電話番号に自動的に変換されてＰＳＴＮ回線で発信することができる。
【発明の効果】
【００１９】
本発明によるＩＰ電話装置及びＶｏＩＰ対応ルータによれば、ユーザにより入力されたＰＳＴＮ電話番号に基づいて電話番号記憶手段から読み出されるＩＰ電話番号により発信処理が行われるので、ＰＳＴＮ電話番号を入力するだけでＩＰ電話をかけることができる。従って、ＩＰ電話番号及びＰＳＴＮ電話番号を使い分ける必要がなくなるので、利便性を向上させることができる。また、１つのＰＳＴＮ電話番号に対して２以上のＩＰ電話番号が割り当てられている通話相手に対して、発信するＩＰ電話番号を指定することができる。
【発明を実施するための最良の形態】
【００２０】
実施の形態１．
図１は、本発明の実施の形態１に係るＩＰ電話システムの一構成例を示したブロック図である。このＩＰ電話システムでは、各ユーザがそれぞれＶｏＩＰ対応ルータ１及びＢを介してＩＰ網５及びＰＳＴＮ９と接続されており、ＩＰ電話番号及びＰＳＴＮ電話番号で発信することができる。
【００２１】
ＶｏＩＰ対応ルータ１及び電話機２は、本発明の実施の形態１によるＩＰ電話装置に相当し、ＶｏＩＰ対応ルータ１は、ＰＳＴＮ電話番号に対応するＩＰ電話番号が予め記憶されている。このため、電話機２からＰＳＴＮ電話番号を入力すれば、ＶｏＩＰルータ１が、入力されたＰＳＴＮ電話番号をＩＰ電話番号に変換してＩＰ電話をかけることができる。
【００２２】
このＶｏＩＰ対応ルータ１は、契約プロバイダーが管理するＩＳＰサーバー４を介してＩＰ網５に接続されているとともに、交換機８を介してＰＳＴＮ９に接続されている。また、ＶｏＩＰ対応ルータ１には、音声の入出力部、表示部及びキー入力部を備えた電話機２と、インターネットを介してのデータ通信を行ったり、ルータの設定を行うためのパーソナルコンピュータ（ＰＣ）３とがそれぞれ接続されている。一方、ＶｏＩＰ対応ルータＢは、通話相手の電話機２が接続されたルータであり、このＶｏＩＰ対応ルータＢも、契約プロバイダーが管理するＩＳＰサーバー４を介してＩＰ網５に接続されているとともに、交換機８を介してＰＳＴＮ９に接続されている。
【００２３】
また、ＩＰ網５には、ＩＰ電話における端末間のセッションを中継し、接続制御を行うＶｏＩＰネームサーバー６が接続されている。このＶｏＩＰネームサーバー６は、ＳＩＰ（Session Initiation Protocol）におけるプロキシサーバーなどであり、ＩＰ電話番号に対応づけてＩＰアドレスを記憶するデータベース７を備えている。なお、ＩＰアドレスは、ＰＰＰ（Point to Point Protocol）セッションが確立されるごとにＩＳＰサーバー４から各端末に割り当てられる。また、セキュリティーを維持するためにＩＰアドレスの更新は頻繁に行われ、通常、ルータには２４時間程度のリース期間が設定されているので、このリース期間を周期としてＩＰアドレスが切替えられる。
【００２４】
この様なＶｏＩＰネームサーバー６を有するＩＰ電話システムにおいて、ＶｏＩＰ対応ルータ１からＩＰ電話番号が発信されると、ＩＳＰサーバー４からＩＰ網５を介してＶｏＩＰネームサーバー６へ接続要求パケットが伝送される。この接続要求パケットは、通話相手をＩＰ電話番号により指定したＩＰパケットである。ＶｏＩＰネームサーバー６は、この接続要求パケットを受信することにより、ＩＰ電話番号に対応するＩＰアドレスをデータベース７から読み出し、通話相手のＶｏＩＰ対応ルータＢへ接続要求パケットを送信する。この接続要求パケットは、通話相手をＩＰアドレスにより指定したＩＰパケットである。
【００２５】
ＶｏＩＰ対応ルータＢがこの接続要求パケットを受信すれば、通信相手の電話機２が着信呼出を行う。例えば、着信音の鳴動によって通信相手によるオフフックを促す。この結果、通信相手が呼出に応答すれば、ＶｏＩＰ対応ルータＢが上記接続要求に対する応答パケットをＶｏＩＰネームサーバー６へ返信する。ＶｏＩＰネームサーバー６は、この応答パケットに基づいて、通話相手のＩＰアドレスを含むＩＰパケットを発呼側のＶｏＩＰ対応ルータ１へ返信する。この様にして、ＶｏＩＰネームサーバー６による接続制御が行われた後に、ＶｏＩＰ対応ルータ１が通話相手のＩＰアドレスを受信することによって、ＶｏＩＰ対応ルータ１及びＢ間でセッションが確立され、ＩＰアドレスに基づく通話が開始される。
【００２６】
図２は、本発明の実施の形態１によるＶｏＩＰ対応ルータの一構成例を示したブロック図である。ＶｏＩＰ対応ルータ１は、ＬＡＮインターフェース１１、ＬＡＮ制御部１２、主制御部１３、電話番号記憶部１６、電話機制御部１７、ダイヤル発信部１９、セレクター２０、ＶｏＩＰインターフェース２１、ＰＳＴＮインターフェース２２、着信検出部２３及び電話番号変換処理部２４により構成される。
【００２７】
ＬＡＮインターフェース１１は、ＬＡＮ接続のためのインターフェースであり、ＰＣ３が接続されているとともに、このインターフェースを制御するＬＡＮ制御部１２を介して主制御部１３と接続している。また、電話機制御部１７は、電話機２に対する入出力制御を行っており、電話機２が接続されているとともに、主制御部１３と接続している。
【００２８】
ＶｏＩＰインターフェース２１は、ＩＰ網５と接続するためのインターフェースであり、ＰＳＴＮインターフェース２２は、ＰＳＴＮ９と接続するためのインターフェースである。ＶｏＩＰインターフェース２１及びＰＳＴＮインターフェース２２は、それぞれセレクター２０に接続されている。セレクター２０は、主制御部１３による制御に基づいて通信経路の択一的な切り替えを行っている。このセレクター２０及び主制御部１３間には、ダイヤル発信時に呼制御を行うダイヤル発信部１９と、着信信号の検出を行う着信検出部２３とがそれぞれ接続されている。
【００２９】
電話番号変換処理部２４は、主制御部１３の制御に基づいて、電話番号記憶部１６に対して電話番号の書き込み及び読み出しを行っており、ＰＳＴＮ電話番号及びＩＰ電話番号間の変換制御を行う変換制御部１４と、ＩＰ電話番号の登録処理を行う登録部１５と、登録されたＩＰ電話番号の読み出し制御を行う読み出し制御部１８からなる。電話番号記憶部１６は、ＩＰ電話番号の記憶手段であり、ＰＳＴＮ電話番号に対応づけてＩＰ電話番号が予め登録されている。
【００３０】
このＶｏＩＰ対応ルータ１では、次の２つの処理、すなわち、ＰＣ３から入力されたＩＰ電話番号の登録処理と、電話機２から入力された電話番号に基づく発信及び通話処理とが行われる。
【００３１】
まず、ＩＰ電話番号の登録処理について説明する。ＬＡＮインターフェース１１に接続されたＰＣ３を用いることにより、ユーザは通話相手のＩＰ電話番号を登録することができる。ユーザは、ＰＣ３の画面上にルータ設定における電話番号の登録画面を表示させ、この登録画面上でＰＳＴＮ電話番号及びＩＰ電話番号をそれぞれ入力することにより、ＰＳＴＮ電話番号に対応づけてＩＰ電話番号が登録される。登録内容は、主制御部１３から変換制御部１４を介して登録部１５へ送られ、登録部１５により電話番号記憶部１６に格納される。なお、ＰＣ３のブラウザ画面における上記登録画面の表示は、登録部１５が行っている。
【００３２】
ここでは、電話番号を登録する際、入力された電話番号が明らかに正常でないと判別されれば、登録はキャンセルされるものとする。例えば、０５０で始まらない電話番号がＩＰ電話番号として入力された場合や、所定の桁数に満たない電話番号が入力された場合に、登録部１５は正常でないと判別して登録をキャンセルする。これにより、電話番号の入力ミスを防止することができる。また、新たに入力されたＰＳＴＮ電話番号が既に登録されている場合にも、登録はキャンセルされる。また、登録部１５は、新たに入力されたＩＰ電話番号が既に他のＰＳＴＮ電話番号に対応づけて登録されている場合に、その旨を登録画面に表示させるとともに、登録を行うか否かをユーザに対して照会する。
【００３３】
次に、電話機２から入力された電話番号に基づく発信及び通話処理について説明する。電話機２を用いることにより、ユーザはＩＰ網５及びＰＳＴＮ９のいずれかを介して音声通信を行うことができる。特に、ＰＳＴＮ電話番号に対応するＩＰ電話番号が予め登録されている通話相手に対しては、ＰＳＴＮ電話番号を入力することでＩＰ電話をかけることができる。
【００３４】
変換制御部１４は、電話機２のキー入力部から主制御部１３を介してＰＳＴＮ電話番号が入力されると、ＩＰ電話番号の読み出しを読み出し制御部１８に対して指示する。読み出し制御部１８は、入力されたＰＳＴＮ電話番号に基づいてＩＰ電話番号を電話番号記憶部１６から読み出し、変換制御部１４へ出力する。主制御部１３は、変換制御部１４からのＩＰ電話番号に基づいて発呼制御を行うようダイヤル発信部１９に対して指示し、セレクター２０及びＶｏＩＰインターフェース２１を介してＩＰ網５へＩＰ電話番号が発信される。
【００３５】
主制御部１３は、ＶｏＩＰネームサーバー６からのＩＰアドレスの通知と、通話相手からの応答とをＩＰ網５を介して受信すると、通話処理を開始する。この通話処理では、電話機２の音声入力部から入力される音声が順次にパケット化され、セレクター２０及びＶｏＩＰインターフェース２１を介してＩＰ網５に順次に出力される。また、ＩＰ網５を介して通話相手から入力されるＩＰパケットが順次に復号され、電話機２の音声出力部から出力される。この様にして、通話相手と会話をリアルタイムに行うことができる。
【００３６】
ここでは、電話機２から入力されたＰＳＴＮ電話番号、または、このＰＳＴＮ電話番号に対応するＩＰ電話番号が電話番号記憶部１６に登録されていない場合、ＰＳＴＮ電話番号に基づいて発信処理が行われるものとする。また、電話機２からＩＰ電話番号が入力された場合には、このＩＰ電話番号に基づいて発信処理が行われる。
【００３７】
図３は、本発明の実施の形態１に係る電話番号登録画面の表示例を示した図である。この電話番号の登録画面３１は、ユーザがＰＣ３を操作してルータ設定における電話番号登録モードに移行させることにより、ブラウザ画面上に表示することができる。画面上の新規登録ボタン３２を選択すれば、ＰＳＴＮ電話番号及びＩＰ電話番号を入力するための入力フィールド３５及び３６がそれぞれ表示される。ユーザによりＰＳＴＮ電話番号及びＩＰ電話番号がそれぞれ入力され、保存ボタン３３が選択されると、入力された電話番号が電話番号記憶部１６に格納される。
【００３８】
この電話番号の登録では、同一の登録画面３１上で入力されたＰＳＴＮ電話番号及びＩＰ電話番号に対して同一のインデックス（Index）番号が新たに割り振られ、電話番号記憶部１６にそれぞれ格納される。つまり、このインデックス番号を介してＩＰ電話番号がＰＳＴＮ電話番号に対応付けられている。なお、終了ボタン３４を選択すれば、この電話番号登録モードを終了させることができる。
【００３９】
図４（ａ）及び（ｂ）は、図２のＶｏＩＰ対応ルータに登録された電話番号テーブルの一例を示した図である。図４（ａ）には、インデックス番号ごとにＰＳＴＮ電話番号が記憶されたＰＳＴＮ電話番号テーブルが示されており、図４（ｂ）には、インデックス番号ごとにＩＰ電話番号が記憶されたＩＰ電話番号テーブルが示されている。
【００４０】
これらの電話番号テーブルは、電話番号記憶部１６にそれぞれ記憶されており、ＰＳＴＮ電話番号及びＩＰ電話番号は、インデックス番号を介して１対１の関係で対応付けられている。従って、電話機２から入力されたＰＳＴＮ電話番号からＩＰ電話番号への変換処理では、まず、ＰＳＴＮ電話番号テーブルが検索され、入力されたＰＳＴＮ電話番号に対応するインデックス番号が抽出される。
【００４１】
次に、抽出されたインデックス番号に基づいてＩＰ電話番号テーブルが検索され、このインデックス番号に対応するＩＰ電話番号が出力される。例えば、ＰＳＴＮ電話番号として「０８２４−１２−３４５６」が入力されると、ＰＳＴＮ電話番号テーブルからインデックス番号「０５」が抽出される。その後、このインデックス番号「０５」に基づいてＩＰ電話番号テーブルが検索され、ＩＰ電話番号として「０５０−６５４−３２１」が出力される。
【００４２】
図５のステップＳ１０１〜Ｓ１１３は、図２のＶｏＩＰ対応ルータにおける電話番号登録の動作例を示したフローチャートである。まず、ＰＣ３のブラウザ画面において電話番号の登録画面３１を表示させ、この登録画面３１上でＰＳＴＮ電話番号及びＩＰ電話番号をそれぞれ入力する（ステップＳ１０１及びＳ１０２）。このとき、登録部１５は、入力データが正常であるか否かを判別する（ステップＳ１０３）。判別の結果、入力データが正常でなければ、登録画面３１上にエラーメッセージを表示してこの登録処理を終了する（ステップＳ１１０）。
【００４３】
一方、入力データが正常であれば、入力されたＰＳＴＮ電話番号に基づいてＰＳＴＮ電話番号テーブルが検索される（ステップＳ１０４）。登録部１５は、検索の結果、同一番号が既に登録されていれば、登録済みメッセージを登録画面３１上に表示してこの登録処理を終了する（ステップＳ１０５，Ｓ１１１）。同一番号が登録されていない場合、登録部１５は、入力されたＩＰ電話番号に基づいてＩＰ電話番号テーブルを検索する（ステップＳ１０６）。
【００４４】
検索の結果、同一番号が既に登録されていれば、登録済みメッセージを表示する（ステップＳ１０７，Ｓ１１２）。その後、このＩＰ電話番号を登録しても良いか否かをユーザに対して照会する画面が登録画面３１上に表示される（ステップＳ１１３）。このとき、ユーザが登録を拒否すれば、登録処理は終了する。
【００４５】
一方、同一番号が登録されていない場合、及び、ステップＳ１１３においてユーザが登録を承諾した場合には、入力された電話番号が電話番号記憶部１６の空き領域に格納される。このとき、ＩＰ電話番号テーブルにおいてＩＰ電話番号がインデックス番号順に並び替えて記憶される（ステップＳ１０８，Ｓ１０９）。
【００４６】
図６のステップＳ２０１〜Ｓ２１２は、図２のＶｏＩＰ対応ルータにおける発信動作の一例を示したフローチャートである。まず、変換制御部１４は、電話機２からＰＳＴＮ電話番号が入力されると（ステップＳ２０１）、ＩＰ電話番号の読み出しを読み出し制御部１８に対して指示する。読み出し制御部１８は、入力されたＰＳＴＮ電話番号に基づいてＰＳＴＮ電話番号テーブルを検索する（ステップＳ２０２）。このとき、変換制御部１４は、入力された番号と一致する番号が登録されていなければ、エラーメッセージを電話機２の表示部に表示させるとともに（ステップＳ２０３，Ｓ２１０）、入力されたＰＳＴＮ電話番号に基づいて発信処理が行われる（ステップＳ２１２）。
【００４７】
一方、入力された番号と一致する番号が登録されている場合には、入力されたＰＳＴＮ電話番号に対応するインデックス番号が読み出され（ステップＳ２０４）、このインデックス番号に基づくＩＰ電話番号テーブルの検索が行われる（ステップＳ２０５）。この検索の結果、インデックス番号に対応するＩＰ電話番号が未登録であれば、エラーメッセージが電話機２の表示部に表示されるとともに（ステップＳ２０６，Ｓ２１１）、入力されたＰＳＴＮ電話番号に基づいて発信処理が行われる（ステップＳ２１２）。
【００４８】
インデックス番号に対応するＩＰ電話番号が登録されている場合には、ＩＰ電話番号が読み出され、電話機２におけるオフフックに合わせて発信経路が生成される（ステップＳ２０７，Ｓ２０８）。発信経路の生成後、読み出されたＩＰ電話番号に基づいて発信処理が行われる（ステップＳ２０９）。
【００４９】
本実施の形態によれば、入力されたＰＳＴＮ電話番号に基づいて電話番号記憶部１６から読み出されるＩＰ電話番号により発信処理が行われるので、ＰＳＴＮ電話番号に対応するＩＰ電話番号が予め記憶されているユーザに対して、ＰＳＴＮ電話番号を入力するだけでＩＰ電話をかけることができる。
【００５０】
実施の形態２．
実施の形態１では、通話相手が１つのＰＳＴＮ電話番号に対して１つのＩＰ電話番号を有している場合について説明した。これに対し、本実施の形態では、１つのＰＳＴＮ電話番号について２以上のＩＰ電話番号を有する通話相手がいる場合について説明する。
【００５１】
図７は、本発明の実施の形態２に係る通話相手側端末の構成例を示した図である。この通話相手側端末におけるＶｏＩＰ対応ルータＢ１０には、１つのＰＳＴＮ電話番号と、４つの異なるＩＰ電話番号とが割り当てられており、ＶｏＩＰ対応ルータＢ１０に４つの電話機２が接続されている。各電話機２には、４つのＩＰ電話番号のいずれか１つが割り振られており、割り振られたＩＰ電話番号によって電話機２ごとに着信可能となっている。本実施の形態のＶｏＩＰ対応ルータでは、この様な１つのＰＳＴＮ電話番号について複数のＩＰ電話番号が割り当てられている通話相手に対し、ＩＰ電話番号を指定して発信することができる。
【００５２】
図８は、本発明の実施の形態２によるＶｏＩＰ対応ルータの要部の一構成例を示したブロック図である。本実施の形態の電話番号変換処理部４１は、変換制御部４２に電話番号抽出部４３と、識別符号抽出部４４とを備えている。また、電話番号変換処理部４１の登録部４５は、ＩＰ電話番号の登録処理において、同一の登録画面上で入力された２以上のＩＰ電話番号に対し、これらのＩＰ電話番号を識別するための識別符号を割り振っている。その他の構成は、図２のＶｏＩＰ対応ルータ１（実施の形態１）と同様である。
【００５３】
この電話番号変換処理部４１では、電話機２から入力されたＰＳＴＮ電話番号に基づく発信処理において、１つのＰＳＴＮ電話番号について複数のＩＰ電話番号が割り当てられている通話相手に対しては、ＰＳＴＮ電話番号とともに上記識別符号を入力することにより、入力された識別符号に基づいてＩＰ電話番号が読み出される。すなわち、ユーザによりＰＳＴＮ電話番号及び識別符号が入力されると、電話番号抽出部４３が入力データからＰＳＴＮ電話番号を抽出するとともに、識別符号抽出部４４が識別符号を抽出し、読み出し制御部４６がこれらの抽出結果に基づいてＩＰ電話番号を電話番号記憶部１６から読み出している。つまり、本実施の形態では、ＰＳＴＮ電話番号とともに識別符号を入力することによって通話相手のＩＰ電話番号（電話機）をいずれかに指定して発信することができる。
【００５４】
図９は、本発明の実施の形態２に係る電話番号登録画面の表示例を示した図である。この電話番号の登録画面５１では、１つのＰＳＴＮ電話番号に対して、２以上のＩＰ電話番号が登録可能となっている。同一の登録画面上で入力された複数のＩＰ電話番号は、識別符号が順次に割り振られて電話番号記憶部１６に格納される。
【００５５】
図１０（ａ）及び（ｂ）は、図８のＶｏＩＰ対応ルータに登録された電話番号テーブルの一例を示した図である。図１０（ａ）には、インデックス番号ごとにＰＳＴＮ電話番号が記憶されたＰＳＴＮ電話番号テーブルが示されており、図１０（ｂ）には、インデックス番号（識別符号を含む）ごとにＩＰ電話番号が記憶されたＩＰ電話番号テーブルが示されている。
【００５６】
ＰＳＴＮ電話番号及びＩＰ電話番号は、インデックス番号及び識別符号を介して対応付けられている。従って、電話機２から入力されたＰＳＴＮ電話番号及び識別符号からＩＰ電話番号への変換処理では、まず、ＰＳＴＮ電話番号テーブルが検索され、入力されたＰＳＴＮ電話番号に対応するインデックス番号が抽出される。次に、抽出されたインデックス番号及び識別符号に基づいてＩＰ電話番号テーブルが検索され、このインデックス番号及び識別符号に対応するＩＰ電話番号が出力される。
【００５７】
例えば、ＰＳＴＮ電話番号としての「０８２４−１２−３４５６」に続いて、識別符号の入力開始を示す制御符号「＃」、そして、識別符号「０２」が入力されると、ＰＳＴＮ電話番号に基づいてＰＳＴＮ電話番号テーブルからインデックス番号「０５」が抽出される。その後、このインデックス番号「０５」及び識別符号「０２」に基づいてＩＰ電話番号テーブルが検索され、ＩＰ電話番号として「０５０−６５４−３２１」が出力される。
【００５８】
本実施の形態によれば、ＰＳＴＮ電話番号とともに識別符号を入力することにより、この識別符号に基づいてＩＰ電話番号が読み出されるので、１つのＰＳＴＮ電話番号に対して２以上のＩＰ電話番号が割り当てられている通話相手に対し、ＩＰ電話番号をいずれかに指定して発信することができる。
【００５９】
なお、本実施の形態では、識別符号をＰＳＴＮ電話番号より後に入力することにより、ＩＰ電話番号を指定しての発信処理が行われる場合の例について説明したが、本発明はこれに限られるものではない。例えば、識別符号をＰＳＴＮ電話番号より先に入力するようなものであっても良い。
【００６０】
また、実施の形態１及び２では、電話機２からＩＰ電話番号が入力されると、このＩＰ電話番号に基づいて発信処理が行われる場合の例について説明したが、本発明はこれに限られるものではない。例えば、ＩＰ電話番号が入力されても、ＰＳＴＮ電話番号で発信処理が行われるようなものであっても良い。
【００６１】
実施の形態３．
実施の形態１及び２では、通話相手のＰＳＴＮ電話番号を入力し、ＩＰ電話番号による発信を行う場合について説明した。これに対し、本実施の形態では、発信回線としてＰＳＴＮ回線又はＩＰ回線を選択可能とし、ＩＰ電話番号を入力してＰＳＴＮ電話番号による発信を行う場合について説明する。
【００６２】
図１１は、本発明の実施の形態３によるＶｏＩＰ対応ルータの構成例を示したブロック図である。このＶｏＩＰ対応ルータ６１は、主制御部１３に対し、発信回線としてＰＳＴＮ回線又はＩＰ回線を指定する回線指示部６２を備えている。この回線指示部６２は、ユーザの操作入力に基づいて発信処理を行う回線を指定している。
【００６３】
例えば、主制御部１３は、電話機２からのユーザ入力により、ＰＳＴＮ回線での発信が指定された場合に、電話機２からＩＰ電話番号が入力されると、このＩＰ電話番号を電話番号変換処理部２４へ出力する。電話番号変換処理部２４は、入力されたＩＰ電話番号に基づいてＰＳＴＮ電話番号を電話番号記憶部１６から読み出して主制御部１３に出力する。そして、種制御部１３は読み出されたＰＳＴＮ電話番号に基づいて発信処理を行う。つまり、ＰＳＴＮ回線での発信がユーザにより指定されている場合には、ＩＰ電話番号を入力してもＰＳＴＮ回線で発信することができる。
【００６４】
一方、ＩＰ回線での発信が指定され、電話機２からＰＳＴＮ電話番号が入力された場合には、実施の形態１及び２の場合と全く同様の動作となる。なお、発信回線としてＰＳＴＮ回線が指定され、ＰＳＴＮ電話番号が入力された場合や、発信回線としてＩＰ回線が指定され、ＩＰ電話番号が入力された場合には、電話番号の変換を行うことなく、指定された発信回線による発信処理が行われる。
【００６５】
ＩＰ電話番号の入力によるＰＳＴＮ回線での発信、すなわち、ＩＰ電話番号からＰＳＴＮ電話番号への変換は、図４及び図１０におけるＰＳＴＮ電話番号からＩＰ電話番号への変換に対する逆引きに相当する。このような逆引きが可能である場合、図５のステップＳ１１２において登録処理を終了し、異なるＰＳＴＮ電話番号に対する同一ＩＰ電話番号の登録を禁止しておくことが望ましい。これにより、電話番号テーブルを用いて行われる電話番号の逆引き（ＩＰ電話番号からＰＳＴＮ電話番号への変換）を確実に行うことができる。
【００６６】
実施の形態４．
実施の形態３では、ユーザが指定した発信回線による発信を行う場合について説明した。これに対し、本実施の形態では、ＩＰ回線に回線異常が検出された場合、ＰＳＴＮ回線による発信が行われる場合について説明する。
【００６７】
図１２は、本発明の実施の形態４によるＶｏＩＰ対応ルータの構成例を示したブロック図である。このＶｏＩＰ対応ルータ７１は、ＩＰ網５における回線異常を検出して主制御部１３に検出結果を通知する回線異常検出部７２を備えている。このため、主制御部１３は、発信処理時に回線異常が検出された場合には、ＰＳＴＮ回線で発信処理を行うことができる。
【００６８】
例えば、回線異常検出部７２は、ＩＰ電話番号に基づく発呼制御において、ＶｏＩＰネームサーバー６からのＩＰアドレスの返信パケットが受信されない場合や、通話相手からの応答パケットが受信されない場合に、回線異常であると判別している。主制御部１３は、この様な回線異常が検出されると、ＩＰ電話番号による発信処理に代えてＰＳＴＮ電話番号で発信処理を行っている。この様にすれば、ＩＰ網５において回線異常が生じても、ＰＳＴＮ回線により確実に通話相手に電話をかけることができる。
【００６９】
なお、回線異常検出部７２がＰＳＴＮ回線９の回線異常を検出可能であれば、同様にして、ＰＳＴＮ回線による発信処理時に回線異常が検出されれば、ＩＰ回線での発信処理を行わせることができる。例えば、実施の形態３において、ＰＳＴＮ回線が指定され、発信処理が行われた際に回線異常が検出されれば、ＰＳＴＮ電話番号をＩＰ電話番号に変換し、ＩＰ回線による発信処理を行わせることもできる。
【図面の簡単な説明】
【００７０】
【図１】本発明の実施の形態１に係るＩＰ電話システムの一構成例を示したブロック図である。
【図２】本発明の実施の形態１によるＶｏＩＰ対応ルータの一構成例を示したブロック図である。
【図３】本発明の実施の形態１に係る電話番号登録画面の表示例を示した図である。
【図４】図２のＶｏＩＰ対応ルータに登録された電話番号テーブルの一例を示した図である。
【図５】図２のＶｏＩＰ対応ルータにおける電話番号登録の動作例を示したフローチャートである。
【図６】図２のＶｏＩＰ対応ルータにおける発信動作の一例を示したフローチャートである。
【図７】本発明の実施の形態２に係る通話相手側端末の構成例を示した図である。
【図８】本発明の実施の形態２によるＶｏＩＰ対応ルータの要部の一構成例を示したブロック図である。
【図９】本発明の実施の形態２に係る電話番号登録画面の表示例を示した図である。
【図１０】図８のＶｏＩＰ対応ルータに登録された電話番号テーブルの一例を示した図である。
【図１１】本発明の実施の形態３によるＶｏＩＰ対応ルータの構成例を示したブロック図である。
【図１２】本発明の実施の形態４によるＶｏＩＰ対応ルータの構成例を示したブロック図である。
【図１３】従来のＩＰ電話システムの構成を示した図である。
【符号の説明】
【００７１】
１，６１，７１  ＶｏＩＰ対応ルータ
２  電話機
３  パーソナルコンピュータ
４  ＩＳＰサーバー
５  ＩＰ網
６  ＶｏＩＰネームサーバー
７  データベース
８  交換機
９  ＰＳＴＮ
１１  ＬＡＮインターフェース
１２  ＬＡＮ制御部
１３  主制御部
１４，４２  変換制御部
１５，４５  登録部
１６  電話番号記憶部
１７  電話機制御部
１８，４６  読み出し制御部
１９  ダイヤル発信部
２０  セレクター
２１  ＶｏＩＰインターフェース
２２  ＰＳＴＮインターフェース
２３  着信検出部
２４，４１  電話番号変換処理部
４３  電話番号抽出部
４４  識別符号抽出部
６２  回線指示部
７２  回線異常検出部
Ｂ，Ｂ１０  ＶｏＩＰ対応ルータ
【図１】
2005094646.tif 000003
【図２】
2005094646.tif 000004
【図３】
2005094646.tif 000005
【図４】
2005094646.tif 000006
【図５】
2005094646.tif 000007
【図６】
2005094646.tif 000008
【図７】
2005094646.tif 000009
【図８】
2005094646.tif 000010
【図９】
2005094646.tif 000011
【図１０】
2005094646.tif 000012
【図１１】
2005094646.tif 000013
【図１２】
2005094646.tif 000014
【図１３】
2005094646.tif 000015